(57)【要約】      （修正有）【課題】用紙群他端面への塵芥などの付着および用紙群の２つの先端コーナ部の上向きのめくり上がりなどを防止することで、用紙群本来の形態を維持して見栄えの低下を回避するとともに、工程の削減により製造作業性を向上させることができる書簡箋を提供する。【解決手段】書簡箋１は、背４を介して表台紙３と裏台紙５が一体に連続したカバー体２と、多数の用紙８ａ一端部を糊付けして一体に重ねた用紙群８とからなり、カバー体２は、裏台紙５に連設されて用紙群８の他端面９Ａを接離可能に覆う保護背６と、この保護背６に連設されて折り畳みにより用紙群８の最上面の用紙表面他端部の２つのコーナ部を覆い、かつ、折り畳み解除により最上面の用紙の表面から離れて２つのコーナ部を露出させる開閉部７とを備えている。【選択図】図１
0003145556.tif 000002
【実用新案登録請求の範囲】
【請求項１】
背を介して表台紙と裏台紙が一体に連続したカバー体と、多数の用紙それぞれの一端部を糊付けして一体に重ねた用紙群とからなり、この用紙群の糊付け端面が前記背に覆われて、該背と前記裏台紙の一端部の少なくともいずれか一方に糊付けされている書簡箋において、
前記カバー体は、前記裏台紙の他端に連設されて前記用紙群の他端面を接離可能に覆う保護背と、この保護背に連設されて折り畳みにより前記用紙群の最上面の用紙表面の少なくとも他端部の２つのコーナ部を覆い、かつ、折り畳み解除により前記最上面の用紙表面から離れて前記２つのコーナ部をを露出させる開閉部とを備えていることを特徴とする書簡箋。
【請求項２】
請求項１に記載の書簡箋において、
前記カバー体は、前記背と前記表台紙が第１折り畳み線を挟んで隣接し、前記背と前記裏台紙が第２折り畳み線を挟んで隣接しており、前記裏台紙と前記保護背が第３折り畳み線を挟んで隣接しているとともに、前記保護背と前記開閉部が第４折り畳み線を挟んで隣接するようにトムソン加工により裁断されて型取りされていることを特徴とする書簡箋。
【請求項３】
請求項１または請求項２に記載の書簡箋において、
前記開閉部の表面に文様が印刷されていることを特徴とする書簡箋。
【考案の詳細な説明】
【技術分野】
【０００１】
本考案は、書簡箋に係り、主として便箋を含む書簡箋に関するものである。
【背景技術】
【０００２】
従来、主として便箋を含む書簡箋として、たとえば図６に示すもの知られている。
【０００３】
この書簡箋５０は、背５１を介して表台紙５２と裏台紙５３が一体に連続したカバー体５４と、多数の用紙５５それぞれの一端部を糊付け５６して一体に重ねた用紙群５７とからなり、この用紙群５７の糊付け５６されている前記一端部が背５１に覆われているとともに、裏台紙５３の一端部表面に糊付けされている。
【特許文献１】特になし。
【考案の開示】
【考案が解決しようとする課題】
【０００４】
ところが、前記従来の書簡箋５０では、用紙群５７の他端面５７ａが常時露出したままであるため、経時により塵芥などが付着して汚れるおそれを有している。また、書簡箋５０の使用が繰り返されるのに応じて表台紙５２の開閉頻度が高くなると、各用紙５５の２つの先端コーナ部５８，５８が上向きにめくり上がって、各用紙５５本来の形態が損なわれて見栄えを低下させる。そのため、書簡箋５０の使用者、たとえば手紙の差出人は、前記形態が損なわれて見栄えが低下した各用紙５５の使用を忌避しなければならず、残存する比較的多数の用紙５５が無駄になる。
【０００５】
また、前記従来の書簡箋５０において、カバー体５４は、一般に、表台紙５２の一端に背５１を連設し、この背５１の折り畳み片５１ａを裏台紙５３の上端部裏面に糊付けすることによって構成されている。このような構成であると、用紙群５７の糊付け５６されている一端部を裏台紙５３の一端部表面に糊付けする工程の他に、背５１の折り畳み片５１ａを裏台紙５３の上端部裏面に糊付けする煩雑な工程が必要になるので、カバー体５４の製造作業性延いては書簡箋５０の製造作業性が悪い問題点を有している。
【０００６】
本考案は、このような問題を解決するものであって、その目的とするところは、用紙群他端面への塵芥などの付着および各用紙の２つの先端コーナ部の上向きのめくり上がりなどを防止することで、各用紙本来の形態を維持して見栄えの低下を回避するとともに、工程の削減により製造作業性を向上させることができる書簡箋を提供することにある。
【課題を解決するための手段】
【０００７】
前記目的を達成するために、本考案に係る書簡箋は、背を介して表台紙と裏台紙が一体に連続したカバー体と、多数の用紙それぞれの一端部を糊付けして一体に重ねた用紙群とからなり、この用紙群の糊付け端面が前記背に覆われて、該背と前記裏台紙の一端部の少なくともいずれか一方に糊付けされている書簡箋において、
前記カバー体は、前記裏台紙の他端に連設されて前記用紙群の他端面を接離可能に覆う保護背と、この保護背に連設されて折り畳みにより前記用紙群の最上面の用紙表面の少なくとも他端部の２つのコーナ部を覆い、かつ、折り畳み解除により前記最上面の用紙表面から離れて前記２つのコーナ部をを露出させる開閉部とを備えていることを特徴としている。
【０００８】
これによれば、用紙群の他端面は、常時は、保護背によって接離可能に覆われて保護されるので、用紙群他端面への塵芥などの付着は確実に防止される。また、最上面用紙表面の少なくとも他端部の２つのコーナ部は、開閉部によって覆われることにより、各用紙他端部の２つのコーナ部が上向きにめくり上がる不都合を防止できる。
【０００９】
また、本考案に係る書簡箋のカバー体は、前記背と前記表台紙が第１折り畳み線を挟んで隣接し、前記背と前記裏台紙が第２折り畳み線を挟んで隣接しており、前記裏台紙と前記保護背が第３折り畳み線を挟んで隣接しているとともに、前記保護背と前記開閉部が第４折り畳み線を挟んで隣接するようにトムソン加工により裁断されて型取りされていることを特徴としている。これによると、従来必要とされていた背の折り畳み片を裏台紙の上端部裏面に糊付けする煩雑な工程が削減されるので、それだけ製造作業性が向上する。
【００１０】
さらに、本考案に係る書簡箋は、前記開閉部の表面に文様を印刷することが望ましい。これによると、表台紙と用紙群を構成する各用紙および裏台紙それぞれの一端から他端までの寸法を等しく設定したものであると、表台紙を開放した場合に、開閉部の表面に印刷されている文様を目視させて、従来の書簡箋とは異なる雰囲気を醸し出すことができる。また、用紙群を構成する各用紙と裏台紙それぞれの一端から他端までの寸法よりも表台紙の一端から他端までの寸法を小さく設定したものであれば、開閉部の表面に印刷されている文様を常時目視させることで、書簡箋に相応しい独自の雰囲気を醸し出して意匠的な効果をあげることができる。
【考案の効果】
【００１１】
本考案に係る書簡箋によれば、用紙群の他端面は、常時は、保護背によって接離可能に覆われて保護されるので、用紙群他端面への塵芥などの付着は確実に防止されるとともに、最上面用紙表面の少なくとも他端部の２つのコーナ部は、常時、開閉部によって覆われることにより、各用紙他端部の２つのコーナ部が上向きにめくり上がる不都合を防止できるので、各用紙本来の形態を維持して見栄えの低下を回避できるばかりか、従来必要とされていた煩雑な工程の削減によって、製造作業性を向上させることができる。
【考案を実施するための最良の形態】
【００１２】
以下、本考案の好ましい実施形態を図面に基づいて説明する。
図１は、本考案に係る書簡箋の一実施形態を示す斜視図、図２は、表台紙を開放した状態の斜視図、図３は、カバー体を展開した状態の斜視図、図４は、カバー体の展開正面図である。
図１〜図４において、書簡箋１は主として便箋を含み、カバー体２と用紙群８とからなる。
【００１３】
カバー体２は、たとえば若干厚手の和紙からなり、表台紙３と、背４と、裏台紙５と、保護背６および開閉部７とを備えて、トムソン加工により裁断されて型取りされている。すなわち、背４と表台紙３は第１折り畳み線Ｃ１を挟んで隣接し、背４と裏台紙５は第２折り畳み線Ｃ２を挟んで隣接しており、裏台紙５と保護背６は第３折り畳み線Ｃ３を挟んで隣接しているとともに、保護背６と開閉部７は第４折り畳み線Ｃ４を挟んで隣接している。
【００１４】
用紙群８は、多数の用紙８ａそれぞれの一端部を糊付け（図示省略）して一体に重ねたもので、該糊付けされた一端部の一端立面（糊付け端面）９は接離可能に背４に覆われるとともに、最下面の用紙８ａｎの上端部下面（一端部下面）が裏台紙５の上端部表面（一端部表面）に糊付け（図示省略）されている。なお、このような最下面の用紙８ａｎの上端部下面を裏台紙５の一端部表面に糊付けする構成に代えて、前記糊付けされた一端部の一端立面（糊付け端面）９を背４の内面に糊付けした構成であってもよい。
【００１５】
図４において、用紙群８を構成している多数の用紙８ａそれぞれの幅寸法Ｗと、表台紙３、背４、裏台紙５、保護背６および開閉部７それぞれの幅寸法Ｗは同じ大きさに設定され、裏台紙５と多数の用紙８ａそれぞれの上下方向の寸法Ｌ、つまり一端から他端までの寸法Ｌは、前記幅寸法Ｗよりも十分に大きく設定されて長方形を呈している。
【００１６】
また、図４における前記背４の高さｈは、用紙群８の厚さに律して前記一端立面（糊付け端面）９を覆うことが可能な値に設定されており、保護背６の高さｈも、用紙群８の厚さに律して他端面９Ａを覆うことが可能な値に設定されている。また、表台紙３の一端から他端までの寸法Ｌ１は、裏台紙５と多数の用紙８ａそれぞれの上下方向の寸法Ｌよりも幾分短い値（小さい値）に設定されているとともに、開閉部７の他端から先端（一端）までの寸法Ｌ２は、裏台紙５と多数の用紙８ａそれぞれの上下方向の寸法Ｌの略１／２程度の値に設定されている。そして、図１，図２に示すように、開閉部７の表面には、書簡箋１相応しい図柄の江戸文様１０が印刷されている。なお、前記江戸文様１０の印刷は必ずしも必要ではない。
【００１７】
前記構成の書簡箋１によれば、その販売時または購入後の非使用時においては、図１に示すように、用紙群８の他端面９Ａは、保護背６によって接離可能に覆われて保護されることになる。そのため、他端面９Ａへの塵芥などの付着は確実に防止される。また、用紙群８における最上面の用紙８ａ１表面の他端部の２つのコーナ部８Ｃ，８Ｃは、販売時または購入後の非使用時において、図２に示すように開閉部７によって覆われることになり、このような状態は、各用紙８ａの使用進行にともなって、最上面の用紙８ａ１が変化しても、変化した最上面の用紙８ａ１表面の他端部の２つのコーナ部８Ｃ，８Ｃが開閉部７によって覆われることになる。したがって、２つのコーナ部８Ｃ，８Ｃが上向きにめくり上がる不都合を確実に防止できるので、各用紙８ａ本来の形態を維持して見栄えの低下を回避することができる。
【００１８】
また、本考案に係る書簡箋１では、前記カバー体２をトムソン加工により裁断して型取りしているので、図６の従来例で説明した背５１の折り畳み片５１ａを裏台紙５３の上端部裏面に糊付けする煩雑な工程が削減され、それだけ製造作業性が向上する。
【００１９】
さらに、本考案に係る書簡箋１では、開閉部７の表面に書簡箋１相応しい図柄の江戸文様１０が印刷されているので、前記実施形態のように、用紙群８を構成する多数の用紙８ａと裏台紙５それぞれの一端から他端までの寸法Ｌよりも表台紙３の一端から他端までの寸法Ｌ１を小さく設定した構成であれば、開閉部７の表面に印刷されている江戸文様１０の一部を常時目視させることで、書簡箋１に相応しい独自の雰囲気を醸し出して意匠的な効果をあげることができる。
【００２０】
一方、図５のように、用紙群８を構成する多数の用紙８と裏台紙４それぞれの一端から他端までの寸法Ｌと、表台紙３の一端から他端までの寸法Ｌとを同じ値に設定すれば、表台紙３を開放することで、開閉部７の表面に印刷されている江戸文様１０を目視させて、従来の書簡箋とは異なる雰囲気を醸し出すことができる。
【図面の簡単な説明】
【００２１】
【図１】本考案に係る書簡箋の一実施形態を示す斜視図である。
【図２】表台紙を開放した状態の斜視図である。
【図３】カバー体を展開した状態の斜視図である。
【図４】カバー体の展開正面図である。
【図５】本考案に係る書簡箋の変形例を示す斜視図である。
【図６】従来例の斜視図である。
【符号の説明】
【００２２】
１  書簡箋
２  カバー体
３  表台紙
４  背
５  裏台紙
６  保護背
７  開閉部
８  用紙群
８ａ  多数の用紙
８ａ１  最上面の用紙
９  用紙群の一端立面（用紙群の糊付け端面）
９Ａ  用紙群の他端面
１０  文様（江戸文様）
【図１】
0003145556.tif 000003
【図２】
0003145556.tif 000004
【図３】
0003145556.tif 000005
【図４】
0003145556.tif 000006
【図５】
0003145556.tif 000007
【図６】
0003145556.tif 000008